(57)【要約】      （修正有）【課題】バネ部材のバネ圧安定化を図った記録テープカートリッジを提供する。【解決手段】記録テープカートリッジは、リールに巻かれた記録テープの端部に取付けられたリーダーピン３０と、リーダーピン３０を付勢することによりリーダーピン３０に引出抵抗を付与する板バネと、を備えている。板バネは、収容状態におけるリーダーピン３０に先端部で当接するアーム部１０８を有する。アーム部１０８の先端部１１２にはアーム部１０８の長手方向に沿って２つの凸部１１４、１１６が形成されており、収容状態におけるリーダーピン３０に凸部１１４のＰ点と凸部１１６のＱ点が当接している。【選択図】図５
2009245525.tif 000002
【特許請求の範囲】
【請求項１】
記録テープが巻装された単一のリールを回転可能に収容するケースと、
前記記録テープの端部に取付けられ、ドライブ装置の引出手段によって引き出されるリーダー部材と、
前記リーダー部材を付勢することにより前記リーダー部材に引出抵抗を付与するバネ部材と、
を備え、
前記ケースの内壁に形成された保持部に前記バネ部材が保持される記録テープカートリッジであって、
前記バネ部材が、収容状態における前記リーダー部材の二箇所以上の部位に当接する作用部を少なくとも１つ有し、
各作用部では、前記二箇所以上の部位のうち少なくとも２つは、前記リーダー部材の中心軸方向に非平行な直線上に位置することを特徴とする記録テープカートリッジ。
【請求項２】
前記リーダー部材に対して凸である２つの凸部を前記作用部の先端部が有することにより、収容状態における前記リーダー部材に前記先端部が二箇所で接触することを特徴とする請求項１に記載の記録テープカートリッジ。
【請求項３】
記録テープが巻装された単一のリールを回転可能に収容するケースと、
前記記録テープの端部に取付けられ、ドライブ装置の引出手段によって引き出されるリーダー部材と、
前記リーダー部材を付勢することにより前記リーダー部材に引出抵抗を付与するバネ部材と、
を備え、
前記ケースの内壁に形成された保持部に前記バネ部材が保持される記録テープカートリッジであって、
前記バネ部材が、収容状態における前記リーダー部材に面接触する作用部を少なくとも１つ有することを特徴とする記録テープカートリッジ。
【請求項４】
収容状態における前記リーダー部材に面接触する面接触部を前記作用部の先端部が有することを特徴とする請求項３に記載の記録テープカートリッジ。
【請求項５】
前記作用部として、前記先端部をそれぞれ有して前記リーダー部材におけるテープ幅方向の両端部を付勢する２本のアーム部が設けられ、
前記バネ部材が、前記アーム部と、前記アーム部の基端側に連続する本体部と、で構成される板バネであることを特徴とする請求項２又は４に記載の記録テープカートリッジ。
【発明の詳細な説明】
【技術分野】
【０００１】
本発明は、記録テープが巻装された単一のリールをケース内に回転可能に収容した記録テープカートリッジに関する。
【背景技術】
【０００２】
従来から、コンピューター等のデータ記録再生媒体として使用されている記録テープ（磁気テープ）を単一のリールに巻装し、そのリールをケース内に収容してなる記録テープカートリッジ（磁気テープカートリッジ）が知られている。この記録テープの先端には、リーダーブロックやリーダーピン、リーダーテープといったリーダー部材が設けられており、そのリーダー部材をドライブ装置側に設けられた引出手段が記録テープカートリッジから引き出し、それに固着された記録テープをドライブ装置側の巻取リールに巻装させるようになっている。
【０００３】
また、このような記録テープカートリッジには、リーダー部材を記録テープカートリッジ内に収容した状態を維持するとともに上記の引き出しを容易に行えるように、リーダー部材をリーダー部材の収容位置に向けて付勢するバネ部材が設けられている（例えば特許文献１、２参照）。
【特許文献１】特開２００６−１８８８５号公報
【特許文献２】特開２００１−２４３７４１号公報
【発明の開示】
【発明が解決しようとする課題】
【０００４】
ところで、このバネ部材は、ケースに対するリーダー部材の着脱方向（引出し方向及び収容方向）に対し、一方向のみに押圧力を付与して規制する形状である。このため、バネ部材がリーダー部材に一箇所で一方向にのみ押圧するように接触するので、バネ圧の負荷を分散することができない。また、バネ部材の一定の部位がリーダー部材に接触するため、バネ部材の部品精度のばらつきや、カートリッジの繰り返し使用によるバネ部材の偏摩耗によりバネ圧が大きく変動する。これらのことが解消されると、バネ圧が安定化し、リーダー部材をケースから引き出すことやケースに収容することを行う上で好ましい。
【０００５】
本発明は、上記事実を考慮して、バネ部材のバネ圧安定化を図った記録テープカートリッジを提供することを課題とする。
【課題を解決するための手段】
【０００６】
請求項１に記載の発明は、記録テープが巻装された単一のリールを回転可能に収容するケースと、前記記録テープの端部に取付けられ、ドライブ装置の引出手段によって引き出されるリーダー部材と、前記リーダー部材を付勢することにより前記リーダー部材に引出抵抗を付与するバネ部材と、を備え、前記ケースの内壁に形成された保持部に前記バネ部材が保持される記録テープカートリッジであって、前記バネ部材が、収容状態における前記リーダー部材の二箇所以上の部位に当接する作用部を少なくとも１つ有し、各作用部では、前記二箇所以上の部位のうち少なくとも２つは、前記リーダー部材の中心軸方向に非平行な直線上に位置することを特徴とする。
【０００７】
リーダー部材は、例えばリーダーピンであるが、リーダーブロック等の他の部材とすることも可能である。
請求項１に記載の発明では、収容状態におけるリーダー部材の二箇所以上の部位（この部位はリーダー部材の部位である）に当接する作用部を少なくとも１つ有する。そして、各作用部では、この二箇所以上の部位のうち少なくとも２つは、リーダー部材の中心軸方向に非平行な直線上に位置する。従って、作用部がリーダー部材に一箇所で一方向にみに押圧するように接触する場合に比べ、バネ圧の負荷が分散され、バネ部材のバネ圧が安定する。
バネ部材は、ケース内壁面の片側にそれぞれ保持される別体型のバネ部材であってもよいし、ケース内壁面の両側に保持される一体型のバネ部材であってもよい。
作用部の形状は特に限定しない。アーム状であっても良いし、薄板状や網状であっても良い。
【０００８】
請求項２に記載の発明は、前記リーダー部材に対して凸である２つの凸部を前記作用部の先端部が有することにより、収容状態における前記リーダー部材に前記先端部が二箇所で接触することを特徴とする。
請求項２に記載の発明では、凸部の形状は特に限定しない。
【０００９】
請求項３に記載の発明は、記録テープが巻装された単一のリールを回転可能に収容するケースと、前記記録テープの端部に取付けられ、ドライブ装置の引出手段によって引き出されるリーダー部材と、前記リーダー部材を付勢することにより前記リーダー部材に引出抵抗を付与するバネ部材と、を備え、前記ケースの内壁に形成された保持部に前記バネ部材が保持される記録テープカートリッジであって、前記バネ部材が、収容状態における前記リーダー部材に面接触する作用部を少なくとも１つ有することを特徴とする。
【００１０】
請求項３に記載の発明では、収容状態におけるリーダー部材にバネ部材の作用部の先端部が面接触する。従って、作用部がリーダー部材に一箇所で接触する場合に比べ、バネ圧の負荷が分散され、バネ部材のバネ圧が安定する。
【００１１】
請求項４に記載の発明は、前記リーダー部材に対して凹である面接触部を前記作用部の先端部が有し、収容状態における前記リーダー部材に前記先端部が前記面接触部で面接触することを特徴とする。
請求項４に記載の発明では、凹部の形状は特に限定しない。
【００１２】
請求項５に記載の発明は、前記作用部として、前記先端部をそれぞれ有して前記リーダー部材におけるテープ幅方向の両端部を付勢する２本のアーム部が設けられ、前記バネ部材が、前記アーム部と、前記アーム部の基端側に連続する本体部と、で構成される板バネであることを特徴とする。
請求項５に記載の発明では、いわゆる上下一体型の板バネをバネ部材として設けている。
【発明の効果】
【００１３】
本発明によれば、バネ部材のバネ圧安定化を図った記録テープカートリッジとすることができる。
【発明を実施するための最良の形態】
【００１４】
以下、実施形態を挙げ、本発明の実施の形態について説明する。なお、第２実施形態以下では、既に説明した構成要素と同様のものには同じ符号を付して、その説明を省略する。
【００１５】
［第１実施形態］
まず、第１実施形態について説明する。なお、説明の便宜上、図１において、本実施形態で説明する記録テープカートリッジ１０のドライブ装置への装填方向を矢印Ａで示し、それを記録テープカートリッジ１０の前方向（前側）とする。そして、矢印Ａと直交する矢印Ｂ方向を右方向（右側）とする。また、矢印Ａ方向及び矢印Ｂ方向と直交する方向を矢印Ｃで示し、それを記録テープカートリッジ１０の上方向（上側）とする。まず最初に、記録テープカートリッジ１０について説明する。
【００１６】
（記録テープカートリッジの全体構成）
図１〜図３で示すように、記録テープカートリッジ１０は、略矩形箱状のケース１２を有している。このケース１２は、ポリカーボネート（ＰＣ）等の樹脂製の上ケース１４と下ケース１６とが、それぞれ天板１４Ａの周縁に立設された周壁１４Ｂと、底板１６Ａの周縁に立設された周壁１６Ｂとを互いに当接させた状態で、超音波溶着やビス止め等によって接合されて構成されている。
【００１７】
すなわち、例えば上ケース１４及び下ケース１６にはビスボス１５がそれぞれ各コーナー部近傍に形成されており、下ケース１６の下面側から、そのビスボス１５に図示しないビスが螺合されることにより、ケース１２が組み立てられるようになっている。そして、ケース１２の内部には、リール２０が１つだけ回転可能に収容されている。
【００１８】
このリール２０は、軸心部を構成する有底円筒状のリールハブ２２と、その下端部に設けられる下フランジ２６とが一体に成形され、上フランジ２４がリールハブ２２の上端部に超音波溶着されて構成されている。そして、そのリールハブ２２の外周面に、情報記録再生媒体としての磁気テープ等の記録テープＴが巻回され、上フランジ２４及び下フランジ２６によって、その巻回された記録テープＴの幅方向の端部が保持されている。
【００１９】
また、リールハブ２２の底壁（底部）２８の下面（外面）には、リールギア４４が環状に形成されており、下ケース１６の中央部には、そのリールギア４４を外部に露出するためのギア開口４０が穿設されている。このギア開口４０から露出されるリールギア４４が、ドライブ装置の回転シャフト（図示省略）に形成された駆動ギア（図示省略）に噛合されて回転駆動されることにより、ケース１２内において、リール２０がケース１２に対して相対回転可能とされる。
【００２０】
また、底壁２８の下面におけるリールギア４４の径方向内側には、磁性材料でできた環状金属板であるリールプレート４６が、インサート成形により、同軸的かつ一体的に固着されており、ドライブ装置の回転シャフトに設けられた環状のマグネット（図示省略）の磁力によって吸着・保持されるようになっている。更に、リール２０は、上ケース１４及び下ケース１６の内面にそれぞれ部分的に突設されて、ギア開口４０と同軸的な円形の軌跡上にある内壁としての遊動規制壁４２によってガタつかないように保持されている。
【００２１】
また、ケース１２の右壁１２Ｂには、リール２０に巻装された記録テープＴを引き出すための開口１８が形成されており、この開口１８から引き出される記録テープＴの自由端部には、ドライブ装置の引出部材（図示省略）によって係止（係合）されつつ引き出し操作されるリーダーピン３０が固着されている。リーダーピン３０の記録テープＴの幅方向端部より突出した両端部には、環状溝３２が形成されており、この環状溝３２が引出部材のフック等に係止される。これにより、記録テープＴを引き出す際に、フック等が記録テープＴに接触して傷付けることがない構成である。
【００２２】
また、ケース１２の開口１８の内側、即ち上ケース１４の天板１４Ａ内面及び下ケース１６の底板１６Ａ内面には、ケース１２内においてリーダーピン３０を位置決めして保持する上下一対のピン保持部３６が設けられている。このピン保持部３６は、記録テープＴの引き出し側が開放された略半円形状をしており、直立状態のリーダーピン３０の両端部３４Ｌ、３４Ｕは、その開放側からピン保持部３６内に出入可能とされている。
【００２３】
また、ピン保持部３６の近傍には、板バネ３８が固定配置されるようになっており、この板バネ３８を構成する２本のアーム部１０８Ｌ、１０８Ｕの先端部がリーダーピン３０の上下両端部３４Ｌ、３４Ｕにそれぞれ係合してリーダーピン３０をピン保持部３６に保持する（すなわち引出抵抗を付与する）ようになっている。なお、リーダーピン３０がピン保持部３６に出入する際には、アーム部１０８Ｌ、１０８Ｕは適宜弾性変形してリーダーピン３０の移動を許容する構成である。
【００２４】
また、その開口１８は、ドア５０によって開閉される。このドア５０は、開口１８を閉塞可能な大きさの略矩形板状に形成され、ケース１２の右壁１２Ｂに沿って移動できるように、開口１８内側の天板１４Ａ及び底板１６Ａには、ドア５０の上下端部を摺動可能に嵌入させる溝部６４が形成されている。
【００２５】
また、ドア５０の後端部中央には、シャフト５２が突設されており、そのシャフト５２には、コイルバネ５８が挿嵌されている。そして、シャフト５２の後端には、そのコイルバネ５８を脱落防止とする拡開部５４が形成されている。また、下ケース１６には、そのシャフト５２に挿嵌されたコイルバネ５８の後端を係止する係止部６２を有する支持台６０が突設されている。
【００２６】
したがって、ドア５０は、シャフト５２が支持台６０上に摺動自在に支持されるとともに、コイルバネ５８の後端が係止部６２に係止されることにより、そのコイルバネ５８の付勢力によって、常時開口１８の閉塞方向へ付勢される構成である。なお、開口１８の開放時、シャフト５２を支持する支持台６６を支持台６０の後方側に更に突設しておくことが好ましい。
【００２７】
また、ドア５０の前端部には、開閉操作用の凸部５６が外方に向かって突設されている。この凸部５６が、記録テープカートリッジ１０のドライブ装置への装填に伴い、そのドライブ装置側の開閉部材（図示省略）と係合するようになっている。これにより、ドア５０がコイルバネ５８の付勢力に抗して開放される構成である。
【００２８】
また、図２、図３で示すように、ケース１２の左後部には、記録テープＴへの記録可・不可が設定されるライトプロテクト７０が左右方向にスライド可能に設けられており、ケース１２の後壁１２Ｄには、このライトプロテクト７０を人手で操作するための操作突起７２を突出させる開孔６８が形成されている。この開孔６８は、上ケース１４と下ケース１６とを接合したときに、上ケース１４の周壁１４Ｂに形成された切欠部６８Ａと、下ケース１６の周壁１６Ｂに形成された切欠部６８Ｂとによって形成される構成である。
【００２９】
また更に、下ケース１６には、ライトプロテクト７０の突部７４が露出される長孔６９が左右方向に長く穿設されており、記録テープカートリッジ１０がドライブ装置に装填されたときに、そのドライブ装置側でライトプロテクト７０の位置を検知して、記録テープＴへの記録可・不可が自動的に判断されるようになっている。なお、この突部７４は下ケース１６の下面から突出することはない。また、図２で示すように、ケース１２の右後部には、記録容量、記録形式等の各種情報が記憶されたメモリーボードＭが所定の傾斜角度で配置されるようになっている。
【００３０】
また、図２、図３で示すように、リールハブ２２の底壁２８の上面周縁には、係合ギア４８が所定の間隙を隔てて（等間隔に）複数（例えば１２０度間隔で３個）立設されており、その係合ギア４８の間で、リールギア４４上となる所定位置には、貫通孔２８Ａが複数（この場合は１２０度間隔で３個）穿設されている。そして、そのリールハブ２２の内部には、樹脂材で成形された円板状の制動部材８０が挿設される。
【００３１】
制動部材８０の下面８０Ａ周縁には、係合ギア４８と噛合可能な制動ギア８４が環状に形成されており、制動部材８０の上面には、上ケース１４の天板１４Ａ内面から下方へ向かって突設された平面視略十字状の回転規制リブ７６が内部に挿入される平面視略十字状の係合突起８６が、その回転規制リブ７６の高さよりも若干高くなるように立設されている。これにより、制動部材８０はケース１２（上ケース１４）に対して回転不能とされるとともに、リールハブ２２内において、上下方向に移動可能とされる。
【００３２】
また、上ケース１４と制動部材８０との間には圧縮コイルスプリング９８が配設される。すなわち、圧縮コイルスプリング９８の一端が上ケース１４の回転規制リブ７６の外側に突設された環状突起７８の内側（回転規制リブ７６と環状突起７８の間）に当接し、他端が制動部材８０の上面に設けられた環状溝８８内に当接した状態に配設される。この圧縮コイルスプリング９８の付勢力により、制動部材８０は、常時下方に向かって付勢される。
【００３３】
したがって、記録テープカートリッジ１０は、不使用時（ドライブ装置に装填されないとき）において、常時制動ギア８４が係合ギア４８と噛合する状態とされて、リール２０のケース１２に対する相対回転が阻止された回転ロック状態とされる。なお、このとき、リール２０は、この付勢力によって下ケース１６側に押し付けられ、リールギア４４をギア開口４０から露出させる。
【００３４】
また、リールハブ２２の内部で、かつ制動部材８０の下側（底壁２８と制動部材８０との間）には、樹脂材で成形された平面視略正三角形状の解除部材９０が挿設される。解除部材９０には、適宜位置に所定の形状とされた貫通孔９２が複数（図示のものは六角形状とされて３つ）穿設されており、解除部材９０の軽量化が図られている。そして、解除部材９０の下面で、かつ各頂点部分には、貫通孔２８Ａに挿通されて底壁２８の下面からリールギア４４上に所定高さ突出する脚部９４が突設されている。
【００３５】
また、解除部材９０の上面９０Ａ中央には平面状の支持凸部９６が形成されており、制動部材８０の下面８０Ａ中央に突設された略半球状の解除突起８２が当接するようになっている（図２、図３参照）。これにより、制動部材８０と解除部材９０との接触面積が低減され、使用時（リール２０の回転時）における摺動抵抗が軽減される構成である。なお、制動部材８０の材質としては、例えばポリアセタール（ＰＯＭ）が用いられ、解除部材９０の材質としては、例えばポリブチレンテレフタレート（ＰＢＴ）が用いられる。
【００３６】
（バネ部材及びその保持構造）
次に、板バネ３８及び板バネ３８の保持構造について、図１〜図５を用いて詳細に説明する。板バネ３８は、リーダーピン３０を付勢することによりリーダーピン３０に引出抵抗を付与する部材として設けられている。なお、図４では、板バネ３８がリーダーピン３０に当接する部位を示すために、図２の矢印Ｓ方向から見た斜視図として描いている。また、図５では、図４に示す状態の板バネ３８にリーダーピン３０が当接することを平面から見た部分平面図として描いている。
【００３７】
本実施形態では、この板バネ３８は、金属製（例えばステンレス鋼製）である。図４に示すように、板バネ３８は、平板材を切断加工及び曲げ加工して形成されたものであり、本体部１０６と、本体部１０６の上下両端部から開口１８に向かって本体部１０６と一体的にそれぞれ所定長さアーム状に延設されたアーム部１０８Ｌ、１０８Ｕと、で構成されている。本体部１０６には、後述の下保持部３７Ｌに係止されるための下切欠部１０７Ｌ、及び、後述の上保持部３７Ｕに係止されるための上切欠部１０７Ｕ、が形成されている。
【００３８】
アーム部１０８Ｌは、本体部１０６から後方向に延び出し、更に右方向（矢印Ｂ方向）に延び出す平面視略「Ｌ」字状であるベース部１１０と、ベース部１１０の先端側に連続し先端が内側（後方側）に向かって平面視略「Ｗ」字状に屈曲している先端部１１２と、で構成される。従って、収容状態の先端部１１２にはリーダーピン３０に対して凸である２つの凸部１１４、１１６がアーム長手方向に沿って形成され、凸部１１４と凸部１１６との間に凹部１１８が形成されている。アーム部１０８Ｕもアーム部１０８Ｌと同形状である。
【００３９】
そして、アーム部１０８Ｕの先端部１１２がリーダーピン３０のフランジ状の上端部３４Ｕに、アーム部１０８Ｌの先端部１１２がリーダーピン３０のフランジ状の下端部３４Ｌにそれぞれ当接するようになっている。すなわち、リーダーピン３０がピン保持部３６に保持されている状態では、ケース内側から矢印Ａ方向に見ると、図５（Ａ）に示すように、凸部１１４と凸部１１６との間にリーダーピン３０の中心軸Ｇが位置して、凸部１１４のＰ点と凸部１１６のＱ点とがリーダーピン３０の周壁面に当接している。
【００４０】
ここで、ケース内側から矢印Ａ方向に見て、Ｐ点は凸部１１４の頂点１１４Ｍと中心軸Ｇとの間に位置し、Ｑ点は凸部１１６の頂点１１６Ｍと中心軸Ｇとの間に位置する。すなわち、ケース内側から矢印Ａ方向に見て、Ｐ点とＱ点とを通過する直線はリーダーピン３０の中心軸Ｇに対して直交しているように見えている。
【００４１】
この構成により、板バネ３８のアーム部１０８Ｌが、リーダーピン３０の下端部３４Ｌを二箇所で互いに異なる方向に所定の圧力で押圧して（押さえて）おり、アーム部１０８Ｕも、リーダーピン３０の上端部３４Ｕを二箇所で互いに異なる方向に所定の圧力で押圧して（押さえて）いる。この押圧により、バネ保持力がリーダーピン３０の円周方向に分散された状態となるので、リーダーピン３０がピン保持部３６の内側壁３６Ｗに安定して押圧されて保持されてピン保持部３６から脱落しないようになっている。言い換えると、リーダーピン３０をピン保持部３６から引き出したりピン保持部３６に保持させたりするときには、アーム部１０８Ｌ、１０８Ｕが適宜弾性変形してリーダーピン３０の移動を許容する板バネ構造になっている。
【００４２】
このような構造の板バネ３８を製造する際、フープ材に加工を行った後に切断することにより連続して製造することが可能である。また、フープ材にプレス成形で加工を行う際、ベース部１１０と先端部１１２とをプレス成形で同時に形成することが可能である。
【００４３】
上ケース１４の内壁側には板バネ３８の上端部を保持する上保持部３７Ｕ（図２、図３、図５参照）が形成され、下ケース１６の内壁側にも板バネ３８の下端部を保持する下保持部３７Ｌ（図２、図３、図５参照）が形成されている。上保持部３７Ｕと下保持部３７Ｌとは面対象の同形状にされている。
【００４４】
また、図５に示すように、下保持部３７Ｌには、アーム部１０８Ｌが配置される細長状のアーム部用凹部４３Ｌと、アーム部１０８Ｌの曲げ中心部としての役割を果たす支柱部４５Ｌと、が形成されている。リーダーピン３０がピン保持部３６に出入する際には、アーム部１０８Ｌは支柱部４５Ｌを支点として適宜弾性変形してリーダーピン３０の移動を許容する構成にされている。上保持部３７Ｕも同様の構成にされている。
【００４５】
（作用、効果）
以上のような構成の記録テープカートリッジ１０において、次にその作用、効果について説明する。不使用時（保管時や運搬時等）において、記録テープカートリッジ１０の開口１８は、ドア５０によって閉塞されている。そして、圧縮コイルスプリング９８の付勢力によって、制動部材８０が回転ロック位置に位置して制動ギア８４を係合ギア４８に噛合させている。このため、リール２０は、ケース１２に対する回転が阻止されている。
【００４６】
一方、記録テープＴを使用する際には、前壁１２Ａを先頭にして記録テープカートリッジ１０を矢印Ａ方向に沿って、ドライブ装置内へ装填する。すると、まず、そのドライブ装置側に設けられた開閉部材が、ドア５０の凸部５６に係合する。そして、この状態で、記録テープカートリッジ１０が更に矢印Ａ方向へ移動すると、開閉部材が凸部５６をコイルバネ５８の付勢力に抗しつつ相対的に後方へ移動させる。すると、その凸部５６が突設されているドア５０は、右壁１２Ｂに沿って溝部６４内を後側へ摺動し、開口１８を開放する。
【００４７】
こうして、記録テープカートリッジ１０がドライブ装置に所定深さ装填され、開口１８が完全に開放されると、記録テープカートリッジ１０は所定高さ下降し、ドライブ装置の位置決め部材（図示省略）が、下ケース１６に形成された位置決め用の穴部（図示省略）に挿入される。これにより、記録テープカートリッジ１０がドライブ装置内における所定位置に正確に位置決めされ、ドア５０のそれ以上の摺動（後方への移動）が規制される。
【００４８】
また、この記録テープカートリッジ１０の下降動作によって、回転シャフトが相対的にギア開口４０から進入し、駆動ギアをリールギア４４に噛合させる。すると、その駆動ギアがリールギア４４と噛合する動作に伴って、リールギア４４上に突出している脚部９４が、圧縮コイルスプリング９８の付勢力に抗して押し上げられ、解除部材９０を介して制動部材８０が上方へ押し上げられて、制動ギア８４と係合ギア４８との噛合が解除される。
【００４９】
そして、駆動ギアとリールギア４４とが完全に噛合した状態で、リールプレート４６が、駆動ギアの内側に設けられた環状のマグネットの磁力によって吸着・保持されることにより、リール２０は、駆動ギアに対するリールギア４４の噛合が維持されつつ、ケース１２内で、そのケース１２に対して相対回転可能となるロック解除状態とされる。
【００５０】
一方、開放された開口１８からは、ドライブ装置側に設けられた引出部材がケース１２内に進入して、ピン保持部３６に位置決め保持されたリーダーピン３０を把持し、引き出す力を付与する。この結果、アーム部１０８Ｌ、１０８Ｕが矢印Ａ方向（前方向）に変形して、リーダーピン３０が引き出される（図５（Ｂ）参照）。なお、このとき、記録テープカートリッジ１０はドライブ装置内において正確に位置決めされているので、引出部材は確実にリーダーピン３０の環状溝３２にそのフックを係止させることができる。また、リール２０は、その回転ロック状態が解除されているので、リーダーピン３０の引出動作に伴って回転できる。
【００５１】
こうして、開口１８から抜き出されたリーダーピン３０は、図示しない巻取リールに収容される。そして、その巻取リールとリール２０とを同期して回転駆動することにより、記録テープＴは、巻取リールに巻き取られつつ順次ケース１２から引き出され、所定のテープ経路に沿って配設された記録再生ヘッド（図示省略）によって情報の記録や再生が行われる。
【００５２】
情報の記録や再生が終了した記録テープカートリッジ１０をドライブ装置から排出する際には、まず、回転シャフトが逆回転することにより、記録テープＴがリール２０に巻き戻される。そして、記録テープＴがリール２０に最後まで巻き戻されて、リーダーピン３０が凸部１１６に当接して押圧することによりアーム部１０８Ｌ、１０８Ｕを前方向に撓み変形させる。
【００５３】
そして、リーダーピン３０がピン保持部３６の収容位置に収容されると、アーム部１０８の撓み変形による付勢力により、Ｐ点、Ｑ点がリーダーピン３０に当接する。この結果、リーダーピン３０は引き出し前の状態に戻り、Ｐ点とＱ点とがリーダーピン３０の周壁面に当接することにより、リーダーピン３０がピン保持部３６の内側壁３６Ｗに押圧されて安定して保持される。
【００５４】
リーダーピン３０がピン保持部３６に保持されると、記録テープカートリッジ１０は所定高さ上昇し、位置決め部材が位置決め用の穴部から抜き出されるとともに、回転シャフトがギア開口４０から抜き出され、リールギア４４に対する駆動ギアの噛合が解除される。
【００５５】
すると、圧縮コイルスプリング９８の付勢力により、制動部材８０及び解除部材９０が下方に向かって押圧され、脚部９４が貫通孔２８Ａに挿通されて底壁２８の下面からリールギア４４上に所定高さ突出するとともに、制動ギア８４が係合ギア４８に噛合する。これにより、リール２０は、再度ケース１２内での相対回転が阻止された回転ロック状態となり、その後、記録テープカートリッジ１０は、図示しないイジェクト機構によって矢印Ａ方向とは反対方向に移動される。
【００５６】
すると、この移動に伴って、ドア５０はコイルバネ５８の付勢力によって開口１８の閉塞方向へ摺動し、開口１８を完全に閉塞する（初期状態に復帰する）。こうして、リール２０のケース１２に対する相対回転がロックされ、開口１８が閉塞された記録テープカートリッジ１０は、ドライブ装置内から完全に排出される。
【００５７】
以上説明したように、本実施形態では、板バネ３８を構成する各アーム部１０８の先端部１１２に、リーダーピン３０に対して凸である２つの凸部１１４、１１６が形成されている。そして、リーダーピン３０がケース１２に収容された状態では、ケース内側から矢印Ａ方向に見てリーダーピン３０の中心軸Ｇの両側に位置するＰ点とＱ点とがリーダーピン３０の周壁面にそれぞれ当接し、リーダーピン３０がピン保持部３６の内側壁３６Ｗに押圧されて安定して保持されている。すなわち、アーム部がリーダーピン３０に一箇所で接触する場合に比べ、バネ圧の負荷がリーダーピン３０の周方向に分散されてバネ圧が安定するとともに、カートリッジの繰り返し使用による偏摩耗の発生が抑えられて板バネ３８の耐久性が向上する。
【００５８】
また、板バネ３８のアーム部１０８Ｌ、１０８Ｕの構成により、板バネ３８を上保持部３７Ｕ及び下保持部３７Ｌに保持させる際、板バネ３８の姿勢安定化の向上を図ることができる。
【００５９】
また、板バネ３８がプレス成形で形成されており、板バネ３８をプレス成形する際に先端部１１２も同時に成形すること、すなわち一回のプレス成形で曲げ加工を完了することが可能になる。
なお、従来のプレス加工をした後に先端部１１２に追加加工を施しても良い。これにより、プレス成形機のプレス部の形状を変更しなくても、簡単な追加加工を行うだけで板バネ３８を形成することができ、付加価値を高めても製造コストへの影響は殆どない。
【００６０】
［第２実施形態］
次に、第２実施形態について説明する。本実施形態の記録テープカートリッジでは、第１実施形態に比べ、記録テープカートリッジを構成する板バネの構造が異なる。
【００６１】
図６に示すように、板バネを構成しリーダーピン３０の下端部３４Ｌに当接するアーム部１４８Ｌの先端部１５２には、２つの凸部１５４、１５６と、凸部１５４と凸部１５６との間の部分を形成している平板部１５８と、が形成されている。すなわち、リーダーピン３０がピン保持部３６に保持されている状態では、ケース内側から矢印Ａ方向に見ると、図６（Ａ）に示すように、凸部１５４と凸部１５６との間にリーダーピン３０の中心軸Ｇが位置して、凸部１５４のＰ点と凸部１５６のＱ点とがリーダーピン３０の周壁面に当接するとともに、平板部１５８のＲ点もリーダーピン３０の周壁面に当接している。板バネを構成しリーダーピン３０の上端部３４Ｕに当接するアーム部１４８Ｕの先端部も同形状で同様に作用している。
【００６２】
本実施形態では、このように、リーダーピン３０が各アーム部１４８の先端部１５２に３点で押圧されており、第１実施形態よりも１点多い。これにより、バネ圧の負荷を第１実施形態よりも更に分散させてピン保持部３６の内側壁３６Ｗに安定して保持させることが可能になる。
【００６３】
［第３実施形態］
次に、第３実施形態について説明する。本実施形態の記録テープカートリッジでは、第１実施形態に比べ、記録テープカートリッジを構成する板バネの構造が異なる。
【００６４】
図７に示すように、板バネを構成しリーダーピン３０の下端部３４Ｌに当接するアーム部１６８Ｌの先端部１７６には、ケースに収容された状態におけるリーダーピン３０に面接触する凹状で断面円弧状の面接触部１７８が形成されている。面接触部１７８のリーダーピン側の円弧半径ｒは、面接触部１７８がリーダーピン３０に面接触できるようにリーダーピン３０の被当接部分の円弧半径ｒと同じにされている。板バネを構成しリーダーピン３０の上端部３４Ｕに当接するアーム部１６８Ｕの先端部も同形状で同様に作用している。
【００６５】
本実施形態により、バネ圧の負荷を第２実施形態よりも更に分散させてピン保持部３６の内側壁３６Ｗに安定して保持させることが可能になる。
【００６６】
以上、実施形態を挙げて本発明の実施の形態を説明したが、これらの実施形態は一例であり、要旨を逸脱しない範囲内で種々変更して実施できる。また、本発明の権利範囲がこれらの実施形態に限定されないことは言うまでもない。
【図面の簡単な説明】
【００６７】
【図１】第１実施形態に係る記録テープカートリッジの概略斜視図
【図２】第１実施形態に係る記録テープカートリッジを上方から見た場合の概略分解斜視図
【図３】第１実施形態に係る記録テープカートリッジを下方から見た場合の概略分解斜視図
【図４】第１実施形態に係る記録テープカートリッジを構成する板バネの概略斜視図
【図５】図５（Ａ）及び（Ｂ）は、それぞれ、第１実施形態で、板バネをケースの保持部に押圧保持させたことを示す概略部分平面図、及び、板バネを保持部から引き出すことを示す概略部分平面図
【図６】図６（Ａ）及び（Ｂ）は、それぞれ、第２実施形態で、板バネをケースの保持部に押圧保持させたことを示す概略部分平面図、及び、板バネを保持部から引き出すことを示す概略部分平面図
【図７】図７（Ａ）及び（Ｂ）は、それぞれ、第３実施形態で、板バネをケースの保持部に押圧保持させたことを示す概略部分平面図、及び、板バネを保持部から引き出すことを示す概略部分平面図
【符号の説明】
【００６８】
１０      記録テープカートリッジ
１２      ケース
２０      リール
３０      リーダーピン（リーダー部材）。
３８      板バネ（板バネ、バネ部材）
１０８Ｕ  アーム部（作用部、アーム部）
１０８Ｌ  アーム部（作用部、アーム部）
１１２    先端部
１１４    凸部
１１６    凸部
１４８Ｕ  アーム部
１４８Ｌ  アーム部
１５２    先端部
１５４    凸部
１５６    凸部
１６８Ｕ  アーム部
１６８Ｌ  アーム部
１７６    先端部
１７８    面接触部
Ｔ        記録テープ
【図１】
2009245525.tif 000003
【図２】
2009245525.tif 000004
【図３】
2009245525.tif 000005
【図４】
2009245525.tif 000006
【図５】
2009245525.tif 000007
【図６】
2009245525.tif 000008
【図７】
2009245525.tif 000009